(57)【要約】      （修正有）【課題】理想的な持ち方を行うことができる箸を提供する。【解決手段】箸１は、箸本体２Ａ、２Ｂと、箸本体２Ａ、２Ｂのうち、少なくとも一部の断面形状が二等辺三角形状に形成された持ち代１０とを含み構成されている。持ち代１０の断面形状は、等辺の長さより底辺の長さが長い形状に形成されている。また、箸１は、持ち代１０における断面形状の底辺を含む面に設けられた印４０をさらに有し、持ち代１０の断面形状は、直角二等辺三角形状に形成されている。印４０は、少なくとも２つ以上あり、互いに離間して設けられている。【選択図】図１
0003228800.tif 000002
【実用新案登録請求の範囲】
【請求項１】
箸本体と、
前記箸本体のうち、少なくとも一部の断面形状が二等辺三角形状に形成された持ち代と
を有し、
前記持ち代の断面形状は、等辺の長さより底辺の長さが長い形状に形成され、
前記持ち代における断面形状の底辺を含む面は、平面である
箸。
【請求項２】
前記持ち代における断面形状の底辺を含む面に設けられた印
をさらに有し、
前記持ち代の断面形状は、直角二等辺三角形状に形成され、
前記印は、少なくとも２つ以上設けられ、互いに離間している
請求項１に記載の箸。
【請求項３】
前記箸本体の一方の端部に、前記持ち代の角部分を取って形成された箸頭
をさらに有する
請求項２に記載の箸。
【請求項４】
前記箸本体の他方の端部に設けられ、断面形状が多角形状または円形状に形成された箸先部と、
前記箸先の側壁面に設けられ、前記箸本体の軸方向に複数形成された溝と
をさらに有し、
前記箸本体は、前記持ち代から前記箸先に向かって先細り状に形成されている
請求項３に記載の箸。
【請求項５】
２本１組の箸と、この箸を連結する連結具とで構成された連結箸であって、
前記箸は、
箸本体と、
前記箸本体のうち、少なくとも一部の断面形状が二等辺三角形状に形成された持ち代と
を有し、
前記持ち代の断面形状は、等辺の長さより底辺の長さが長い形状に形成され、
前記持ち代における断面形状の底辺を含む面は、平面であり、
前記連結具は、
Ｓ字形状、Ｚ字形状、又は、クランク形状に構成された連結具本体と、
前記連結具本体の一方に設けられ、前記箸における一方の前記箸本体を該連結具本体に固定する第１の固定部と、
前記連結具本体の他方の端部に設けられ、前記箸における他方の前記箸本体を該連結具本体に可動自在に固定する第２の固定部と、
前記連結具本体の一方に設けられた取手と
を有する
連結箸。
【考案の詳細な説明】
【技術分野】
【０００１】
本考案は、箸、及び、連結箸に関する。
【背景技術】
【０００２】
例えば、特許文献１には、木製又は竹製の棒状をした一対の箸本体の一方の箸本体の一端に、表裏面がほぼ平面状に形成された、ほぼ方形板状のヘラが突出形成され、前記一方の箸本体の他端と、前記一対の箸本体の他方の箸本体の両端とのそれぞれが、先細に形成され、かつ、前記一対の箸本体の棒状をした部分が、その各側面が内側に窪んだ三角柱状に形成されてなることを特徴とするヘラ付きの料理箸が開示されている。
【０００３】
また、特許文献２には、箸の長さ方向で見た所要部分が物差し部とされ、該物差し部の側面に、箸の長さ方向に目盛りが付されていることを特徴とする物差し付き箸が開示されている。
【先行技術文献】
【特許文献】
【０００４】
【特許文献１】特開２００１−１９７９９３号公報
【特許文献２】実用新案登録第３０８７６２６号公報
【考案の概要】
【考案が解決しようとする課題】
【０００５】
本考案は、理想的な持ち方を行うことができる箸を提供することを目的とする。
【課題を解決するための手段】
【０００６】
本考案に係る箸は、箸本体と、前記箸本体のうち、少なくとも一部の断面形状が二等辺三角形状に形成された持ち代とを有し、前記持ち代の断面形状は、等辺の長さより底辺の長さが長い形状に形成され、前記持ち代における断面形状の底辺を含む面は、平面である。
【０００７】
好適には、前記持ち代における断面形状の底辺を含む面に設けられた印をさらに有し、
前記持ち代の断面形状は、直角二等辺三角形状に形成され、前記印は、少なくとも２つ以上設けられ、互いに離間している。
【０００８】
好適には、前記箸本体の一方の端部に、前記持ち代の角部分を取って形成された箸頭をさらに有する。
【０００９】
好適には、前記箸本体の他方の端部に設けられ、断面形状が多角形状または円形状に形成された箸先部と、前記箸先の側壁面に設けられ、前記箸本体の軸方向に複数形成された溝とをさらに有し、前記箸本体は、前記持ち代から前記箸先に向かって先細り状に形成されている。
【００１０】
また、本考案に係る連結箸は、２本１組の箸と、この箸を連結する連結具とで構成された連結箸であって、前記箸は、箸本体と、前記箸本体のうち、少なくとも一部の断面形状が二等辺三角形状に形成された持ち代とを有し、前記持ち代の断面形状は、等辺の長さより底辺の長さが長い形状に形成され、前記持ち代における断面形状の底辺を含む面は、平面であり、前記連結具は、Ｓ字形状、Ｚ字形状、又は、クランク形状に構成された連結具本体と、前記連結具本体の一方に設けられ、前記箸における一方の前記箸本体を該連結具本体に固定する第１の固定部と、前記連結具本体の他方の端部に設けられ、前記箸における他方の前記箸本体を該連結具本体に可動自在に固定する第２の固定部と、前記連結具本体の一方に設けられた取手とを有する。
【考案の効果】
【００１１】
本考案によれば、理想的な持ち方を行うことができる。
【図面の簡単な説明】
【００１２】
【図１】実施例１における箸１を例示する図である。
【図２】実施例１における箸本体２を例示する六面図及び断面図である。
【図３】図１に例示する箸１におけるＺ−Ｚ断面図である。
【図４】図１に例示する箸１におけるＹ矢視図である。
【図５】実施例１における箸１の使用形態を説明する図である。
【図６】実施例２における連結箸１００を例示する図である。
【図７】連結具５０を例示する斜視図及びＺ矢視図である。
【図８】図６に例示する連結箸１００の使用形態を説明する図である。
【考案を実施するための形態】
【００１３】
まず、本考案における背景を説明する。
箸製品には、例えば、介護用具や福祉用具市場にある箸同士を連結するためのアタッチメント部品を備えたピンセット型の連結箸と、一般的な２本１組の箸とがある。
ピンセット型の連結箸の操作方法は、親指と親指以外の指とで掴むといった握る動作によって操作する。よって、使用者は、少なくとも、手掌回内握り、または、手指回内握りを行うことにより、ピンセット型の連結箸を操作することができる。
一方、一般的な２本１組の箸の操作方法は、２本のうち、一方の箸を親指と薬指とで固定しながら、他方の箸を親指、人差し指、及び、中指で挟持し可動させることによって操作する。使用者は、一方の箸を固定し、かつ、他方の箸を三指握りすることにより、理想的な持ち方で操作を行うことができる。
しかしながら、市場にある製品には、ピンセット型の連結箸から２本１組の箸へと移行する中間段階の箸製品が少ない。そのため、箸に不慣れな使用者（未就学児童若しくは外国人、又は、手指の不自由な高齢者若しくは障害者）では、ピンセット型の連結箸から２本１組の箸へと移行するには困難であった。
【００１４】
そこで、実施例１における箸１では、持ち代部の断面形状を二等辺三角形状に形成する。これにより、三指握りを行うことができる使用者は、動的な三面把持を行うことができるため、理想的な箸の持ち方を行うことができる。
【００１５】
また、実施例２における連結箸１００では、箸１を連結具５０で連結する。これにより、一方の箸を三指握りすることができるが他方の箸を固定することができない使用者、又は、三指握りが不慣れな使用者は、ピンセット型の連結箸から一般的な２本１組の箸に移行するための練習用の箸として使用することができる。
このように、本実施形態における箸は、使用者の手指の巧緻性に応じたものである。
【００１６】
以下、本考案に係る実施形態の構成を、図面を参照して説明する。ただし、本考案の範囲は、図示例に限定されるものではない。
【００１７】
［実施例１］
まず、本実施例１における箸１の構成を説明する。
図１は、実施例１における箸１を例示する図である。
図２は、箸本体２を例示する六面図であり、図２（Ａ）は正面図であり、図２（Ｂ）は背面図であり、図２（Ｃ）は右側面図である。また、図２（Ｄ）は左側面図であり、図２（Ｅ）は平面図であり、図２（Ｅ）は底面図であり、図２（Ｇ）はＡ−Ａ線断面図である。
図１及び図２に例示するように、箸１は、箸本体２で構成された二本一対の棒である。
（箸本体２）
箸１は、略同じ形状である箸本体２Ａ、及び、箸本体２Ｂで構成されている。本例での箸本体２は、箸本体２Ａが可動箸であり、箸本体２Ｂが固定箸である。
箸本体２は、例えば、木材、竹部材、合成樹脂材、又は、金属材料で構成されている。なお、生産性や操作性の観点から、箸本体２は、木材、又は、合成樹脂材で構成することが望ましい。
また、箸本体２は、全長が１４ｃｍ以上２６ｃｍ以下の長さに形成されており、実施例１での箸本体２の全長は、約２４ｃｍである。
また、箸本体２は、持ち代１０、箸頭２０、使い代３０、箸先３２、及び、印４０を備えている。箸本体２の外形形状は、持ち代１０から箸先３２にかけて、三角形状から多角形状または円形状に滑らかに形成されており、持ち代１０から箸先３２に向かって先細り状に形成されている。また、箸本体２は、角部分を滑らかに面取り加工されているため、使用者は、箸１を長時間使用しても痛みが生じにくい。
【００１８】
（持ち代１０）
図１及び図２に例示するように、持ち代１０は、箸本体２を手で持つ部分である。持ち代１０の範囲は、概ね、箸本体２の中央部分から箸頭２０までの部分、言い換えると、箸本体２の約１/３の範囲である。
持ち代１０は、少なくとも一部の断面形状が二等辺三角形状に形成されている。持ち代１０における少なくとも一部の部分とは、箸本体２を手で持つ部分のうち、使用者の指（指先、指の側面）が当たる部分、及び、指と指との間に当たる部分を含む部分である。なお、本実施例１の持ち代１０は、持ち代１０の全体の断面形状が直角二等辺三角形状に形成されている。また、持ち代１０の断面形状において、等辺（平面３ｂ及び平面３ｃ）の辺の長さより底辺（平面３ａ）の辺の長さが長い形状に形成されている。平面３ａにおける箸幅寸法Ｗは、一番幅の広い端頭２０近傍で１３ｍｍ〜１７ｍｍであり、本実施例１の平面３ａにおける箸幅寸法Ｗは、１５ｍｍである。また、箸本体２における箸高さ寸法Ｈは、７ｍｍ〜１２ｍｍであり、本実施例１における箸本体２における箸高さ寸法Ｈは、９ｍｍである。これにより、箸幅寸法Ｗを大きく確保するとともに、箸高さ寸法Ｈを一般的な箸と略同じ高さとすることにより、一般的な箸と同様に違和感なく使用することができる。
また、持ち代部１０は、等辺（平面３ｂ及び平面３ｃ）の間の角度が直角に形成されている。これにより、例えば未就学児等の子供である使用者は、手指との接触面積が広くなるため長時間箸を使用しても痛みが生じにくい。また、持ち代部１０は、三角形状の外形において、角部分を面取り加工されている。
【００１９】
（箸頭２０）
図１及び図２に例示するように、箸頭２０は、箸本体２の一方の端部であり、箸先３２とは反対側の端部である。箸頭２０は、外形が三角柱状に形成された持ち代１０における角部分を面取り加工（面取り２４）されている。箸頭２０は、三角柱状に形成された持ち代１０の角部分を取ることにより、箸本体２Ａ、及び、箸本体２Ｂの箸頭２０が互いにぶつからないよう形成されている。これにより、使用者は、箸操作において、必要以上に箸先３２を開いても箸頭２０が干渉することなく箸操作を行うことができる。
【００２０】
（使い代３０）
図１及び図２に例示するように、使い代３０は、持ち代１０よりも箸先３２側である。使い代３０は、概ね、箸本体２の中央部分から箸先３２までの部分、または、箸本体２の約２/３の範囲である。使い代３０は、箸先３２及び溝３４を含んでいる。
【００２１】
（箸先３２）
図１及び図２に例示するように、箸先３２は、食べ物等を挟む部分である。箸先３２は、箸本体２の他方の端部、言い換えると、箸頭２０の設けられた位置とは反対側に設けられ、断面形状が多角形状または円形状に形成されている。箸先３２の太さは、持ち代１０の太さに比べて細く形成されており、細かなものを掴むことができる。また、箸先３２は、箸先３２の側壁面に溝３４が形成されている。箸先３２は、溝３４を形成されることにより、箸先３２表面を凹凸状に形成されている。
なお、箸先３２は、箸先３２の断面形状が多角形状であっても、溝３４が形成されることにより、角が削られて断面形状が略円形状となる。
【００２２】
（溝３４）
図１及び図２に例示するように、溝３４は、箸先３２の側壁面に形成された溝である。本例の溝３４は、箸先３２の側壁面の全周に形成されており、箸先３２で掴んだ食品の滑りを防ぐための滑り止めとして機能する。溝３４は、箸本体２の軸方向に複数形成され、溝の深さ、溝の太さ、溝の長さ、及び、溝の形状をそれぞれが異なるよう形成されている。
また、溝３４は、箸先３２だけでなく、箸本体２全体、又は、持ち代部１０に形成されてもよい。これにより、溝３４は、持ち代部１０において、滑り止めとして機能するため、握り易さを向上させることが期待できる。
【００２３】
（印４０）
図１及び図２に例示するように、印４０は、箸１を持つ使用者に対して、指を配置する位置を示す印である。
印４０は、持ち代１０における断面形状の底辺を含む面である平面３ａに設けられている。印４０は、箸本体２それぞれに少なくとも２つ以上あり、互いに離間して設けられている。印４０は、２つである場合、親指の指先、及び、親指の根元を配置する位置にそれぞれ設ける。印４０は、箸本体２Ａ及び箸本体２Ｂを把持する位置が入れ替わる場合を考慮して、親指の指先、及び、親指の根元を配置する位置にそれぞれ設ける。なお、本実施例１の印４０は、３つの印が設けられている。
図１に例示する箸１において、使用者は、箸本体２Ａにおける印４０のうち、箸先３２側にある印４０に親指の指先を配置し、箸本体２Ｂにおける印４０のうち、中央に位置する印４０に親指の付け根部分を配置している。これにより、例えば、外国人等の使用者であっても、指を配置する位置を合わせることで、指の角度を調節しながら箸１を持つことができる。
また、印４０は、目印を設けることで、指を配置する位置を示すことができ、かつ、箸の審美性を損なわないデザインとすることができる。印４０は、例えば、漆によって付けられてもよいし、刻印されてもよい。また、印４０は、例えばシリコンゴムを塗布して配置してもよい。印４０は、シリコンゴムを塗布して構成することにより、指を配置する位置を示すとともに、滑り止めとしても機能する。また、印４０の形状もとくに限定せず、適宜に選択することができる。
このように、箸本体２は、持ち代１０、箸頭２０、使い代３０、箸先３２、及び、印４０を含み構成されている。
【００２４】
図３は、図１に例示する箸１におけるＺ−Ｚ断面図である。
図３に例示するように、箸本体２は、箸本体２Ａが可動箸であり、箸本体２Ｂが固定箸である。箸本体２は、持ち代１０における断面形状が直角二等辺三角形状に形成され、外形形状における角部分は丸く加工されている。
箸本体２Ａにおいて、使用者は、箸本体２Ａを三本指で把持している。具体的には、使用者は、箸本体２Ａにおける平面３ａに親指を配置し、平面３ｂに中指を配置し、平面３ｃに人差し指を配置することで箸本体２Ａを把持している（三面把持）。箸本体２Ａは、断面形状が三角形形状であることにより、使用者に対して三面把持を行いやすく形成されている。箸本体２Ａにおける断面形状において、平面３ａの長さは、平面３ｂ及び平面３ｃの長さより長いため、使用者は、平面３ａに親指を載せやすい。
また、箸本体２Ａは、平面３ｂと平面３ｃとの間にある角が直角であることにより、直角部分を人差し指と中指と間に固定させることができる。これにより、使用者は、箸本体２Ａの把持力を向上させることができる。
【００２５】
また、箸本体２Ｂにおいて、使用者は、箸本体２Ｂを二本指で把持している。具体的には、使用者は、箸本体２Ｂにおける平面３ａに親指（の付け根部分である第二関節近傍）を配置し、平面３ｂに薬指（の第一関節）を配置することで箸本体２Ｂを把持している。箸本体２Ｂは、平面３ｂと平面３ｃとの間にある角が直角であることにより、直角部分を薬指の第一関節に引っ掛けることができる。これにより、使用者は、箸本体２Ｂの把持力を向上させることができる。
【００２６】
図４は、図１に例示する箸１におけるＹ矢視図である。
図４に例示するように、使用者は、人差し指におけるＭＰ関節を挟み込むよう箸本体２を配置する。箸本体２は、三角形状に形成されているため、箸本体２Ａにおける平面３ｂと箸本体２Ｂにおける平面３ｃとをＭＰ関節に当てて、挟み込むよう配置される。これにより、箸本体２は、箸操作において、人差し指におけるＭＰ関節からずれることなく配置することができる。よって、使用者は、平面３ａの平面部分と箸本体２の三角形状と相まって、箸先３２に挟持力を伝えやすくなるため、細かなものでも挟むことができる。
【００２７】
図５は、実施例１における箸１の使用形態を説明する図である。
図５に例示するように、使用者は、箸先３２を開く箸操作を行う。このとき、箸本体２Ａ及び箸本体２Ｂにおける箸頭２０は、互いに接近する。箸頭２０は、面取り２４を形成されているため、箸操作において、使用者が必要以上に箸先３２を開いても、箸頭２０同士が干渉することはない。
【００２８】
以上説明したように、本実施例１における箸１は、箸本体２と、箸本体２のうち、少なくとも一部の断面形状が二等辺三角形状に形成された持ち代１０とを含み構成されている。箸１は、持ち代１０の断面形状において、等辺（平面３ｂ及び平面３ｃ）の長さより底辺（平面３ａ）の長さが長い形状に形成されている。これにより、使用者は、箸本体２Ａである可動箸を三面把持することができる。また、箸１は、平面３ａの平面部分を広く形成し、指との接触面積を確保することにより、使用者は、痛みや違和感なく箸１を使用することができる。また、平面３ａの平面部分と箸本体２の三角形状と相まって、箸先３２に挟持力を伝えやすくなるため、細かなものでも挟むことができる。また、箸１は、平面３ａの平面部分を広く形成することにより、２本の箸本体２の持ち代１０同士が交差しにくくすることができる。
【００２９】
また、箸１は、持ち代１０における断面形状の底辺（平面３ａ）を含む面に印４０をさらに備えている。印４０は、各箸本体２に少なくとも２つ以上設けられ、互いに離間している。これにより、使用者は、箸本体２Ａ及び箸本体２Ｂに設けられた印４０を目印として、理想的な持ち方となる位置に指を配置することを促すことができる。
さらに、箸１は、持ち代１０の断面形状において、直角二等辺三角形状に形成されている。これにより、使用者は、直角となる部分を利用して箸本体２を把持しやすくなり、かつ、理想的な持ち方となる位置に指を配置することができる。また、箸本体２を把持しやすくなることにより、箸先３２に挟持力を伝えやすくなる。
【００３０】
また、箸１は、箸本体２の一方の端部に、持ち代１０の角部分を取って形成された箸頭２０をさらに備えている。これにより、使用者は、箸操作において、必要以上に箸先３２を開いても箸頭２０が干渉することなく箸操作を行うことができる。
【００３１】
また、箸１は、箸本体２の他方の端部に設けられ、断面形状が多角形状または円形状に形成された箸先部３２と、箸先３２の側壁面に設けられ、箸本体２の軸方向に複数形成された溝３４とをさら備えている。これにより、使用者は、滑らすことなく箸先３２で食品を掴むことができる。
また、箸１は、箸本体２において、持ち代１０から箸先３２に向かって先細り状に形成されているため、使用者は、細かなものでも滑らせることなく、箸先３２で掴むことができる。
【００３２】
［実施例２］
次に、箸１を使用した連結箸１００を説明する。なお、実施例２に係る箸１において、実施例１における箸１と実質的に同一の機能、構成を有する要素については、同一の符号を付することにより重複説明を省略する。
図６は、実施例２における連結箸１００を例示する図である。
図７は、連結具５０を例示する図であり、図７（Ａ）は、斜視図であり、図７（Ｂ）は、Ｚ矢視図である。
図６に例示するように、連結箸１００は、箸１と連結具５０とで構成されている。連結箸１００は、連結具５０に箸本体２Ａを可動自在に固定し、箸本体２Ｂを固定している。
（連結具５０）
図６及び図７に例示するように、連結具５０は、箸本体２Ａと箸本体２Ｂとを連結する器具である。連結具５０は、箸１を使用する補助部材である。
連結具５０は、連結具本体５１、取手５２、貫通孔５４、挟持片５６、及び、挟持溝５８を含み構成されている。
【００３３】
（連結具本体５１）
図６及び図７に例示するように、連結具本体５１は、例えば、弾性変形する素材で形成されており、具体的には、合成樹脂、又は、弾性体で形成されている。連結具本体５１は、弾性変形する素材で形成することにより、例えば箸本体２を装着する場合に、弾性力を利用して箸本体２を固定することができる。また、連結具本体５１は、グリップ力のある素材が好ましく、グリップ力のある素材として、例えば弾性体である場合、シリコンゴムが好ましい。
また、連結具本体５１は、Ｓ字状、Ｚ字状，又は、クランク状に形成されている。
【００３４】
（取手５２）
図６及び図７に例示するように、取手５２は、連結具本体５１の一方に設けられ、連結具本体５１における挟持片５６及び挟持溝５８と反対の位置に設けられている。取手５２は、使用者により握られる部分であり、連結箸１００を把持するときに、薬指や小指で握ることのできる大きさ（長さや太さ）に形成されている。
また、取手５２の近傍には、貫通孔５４を設けられている。取手５２は、挟持片５６の長さより長く形成されている。
【００３５】
（貫通孔５４）
図６及び図７に例示するように、貫通孔５４は、連結具本体５１の一方に設けられ、連結具本体５１における取手５２の近傍に設けられている。貫通孔５４は、箸本体２の一方を固定するために設けられている。貫通孔５４は、箸本体２を挿通できる大きさに形成された貫通した穴である。具体的には、貫通孔５４は、箸先３２の太さより大きく、持ち代１０の太さより小さいサイズの穴である。これにより、連結具本体５１は、貫通孔５４に挿入した箸本体２の中央部分で固定することができる。なお、本実施例２の貫通孔５４は、箸本体２Ｂを固定する。また貫通孔５４は、本考案に係る第１の固定部の一例である。
【００３６】
（挟持片５６）
図６及び図７に例示するように、挟持片５６は、連結具本体５１の他方の端部に設けられ、連結具本体５１の端部を二股に形状した突出部分である。挟持片５６は、挟持片５６ａ及び挟持片５６ｂを備え、貫通孔５４の貫通方向と異なる方向に分かれて形成されている。挟持片５６ａ及び挟持片５６ｂは、互いに離間しており、対向する位置に形成されている。挟持片５６ａ及び挟持片５６ｂは、互いに離間するため、挟持片５６ａ及び挟持片５６ｂの間に箸本体２を可動自在に挟持することができる。本実施例２の挟持片５６ａ及び挟持片５６ｂの離間間隔は、例えば、箸本体２の箸高さ寸法Ｈと略同様な離間間隔が設けられており、具体的には、７ｍｍ〜９ｍｍである。挟持片５６の離間間隔は、箸本体２の箸高さ寸法Ｈより離間間隔が大きい場合、可動したときの挟持した箸本体２が挟持片５６から脱落するおそれがある。そのため、挟持片５６ａ及び挟持片５６ｂの離間間隔は、箸本体２の箸高さ寸法Ｈと略同じ、又は、箸高さ寸法Ｈより小さい離間間隔が好ましい。
また、挟持片５６は、挟持片５６ａ及び挟持片５６ｂの互いに対向する方向に突起を備えてもよい。これにより、挟持した箸本体２の抜けを防止することができる。
なお、本実施例２の挟持片５６は、箸本体２Ａを可動自在に固定する。
【００３７】
（挟持溝５８）
図６及び図７に例示するように、挟持溝５８は、連結具本体５１の他方の端部に設けられ、挟持片５６の間にある凹みである。挟持溝５８は、箸本体２を挟み込むことのできる溝であり、Ｕ字状、Ｖ字状、コ字状、又は、箸本体２の外形に合う形状に合わせて形成されてもよい。また、挟持溝５８の配置方向は、貫通孔５４の貫通方向と同じ方向となるよう形成されている。なお、挟持片５６及び挟持溝５８は、本考案に係る第２の固定部の一例である。挟持片５６及び挟持溝５８は、連結具本体５１に箸本体２の他方を可動自在に固定している。
このように、連結具５０は、連結具本体５１、取手５２、貫通孔５４、挟持片５６、及び、挟持溝５８を含み構成されている。
【００３８】
図８は、図６に例示する連結箸１００の使用形態を説明する図である。
図８に例示するように、まず、使用者は、連結具５０に箸１を装着し、連結箸１００を構成する。
使用者は、連結具５０における貫通孔５４に箸本体２Ｂを挿入し固定する。使用者は、箸本体２Ｂを貫通孔５４に挿入したあとに、箸本体２Ａを挟持溝５８及び挟持片５６に可動自在に挟持させ、連結箸１００を構成する。なお、連結具５０に装着する箸本体２Ａと箸本体２Ｂとの配置順番を入れ替えてもよい。
【００３９】
次に、使用者は、連結箸１００を把持する。
使用者は、箸本体２Ａを三面把持し、箸本体２Ｂを二本指で把持する（図３参照）。図８に例示するように、使用者は、箸本体２Ａおよび箸本体２Ｂを把持したあとに、薬指と小指とで取手５２を握る。使用者は、取手５２を握ることで箸本体２Ｂを容易に固定することができる。使用者は、連結箸１００の取手５２により、箸本体２Ａを三面把持の不慣れな使用者であっても連結箸１００を安定して使用することができる。
このように、使用者は、三面把持が不慣れであっても、理想的な持ち方を練習しながら、連結箸１００を使用することができる。連結箸１００は、連結具５０を用いて箸本体２を連結することにより、使用者の手との接触面積を広げることができ、安定して使用させることができる。また、連結具５０は、固定する箸本体２Ｂ側に取手５２を構成することにより、使用者は、取手５２を握ることで箸本体２Ｂを容易に固定することができる。そのため、使用者は、取手５２を握った状態で連結箸１００の箸先を開閉するときにおいて、可動自在に固定した箸本体２Ａの三指握りを行いやすくなる。よって、連結箸１００は、三指握りの不慣れな使用者であっても箸の操作性や箸先の挟持力を向上させることができる。
【００４０】
以上説明したように、本実施例２における連結箸１００によれば、２本の箸本体２を互いに連結し、一方の箸本体２Ｂを固定した状態で、他方の箸本体２Ａを可動自在に固定する。連結箸１００は、取手５２を備えることにより、箸本体２Ｂを容易に固定できる。そのため、使用者は、箸本体２Ａのみを可動させることで、容易に物を挟むことができる。よって、三指握りを行うことができない使用者、または、一方の箸を固定できない使用者であっても、三指握りの練習を行うとともに、理想的な箸の持ち方を行うことができる。
以上、本考案に係る実施例１及び実施例２について説明したが、これらに限定されるものではなく、考案の趣旨を逸脱しない範囲内において、種々の変更、追加等が可能である。
【符号の説明】
【００４１】
１…箸
２…箸本体
１０…持ち代
２０…箸頭
２４…面取り
３０…使い代
３２…箸先
３４…溝
４０…印
５０…連結具
５１…連結具本体
５２…取手
５４…貫通孔
５６…挟持片
５８…挟持溝
【図１】
0003228800.tif 000003
【図２】
0003228800.tif 000004
【図３】
0003228800.tif 000005
【図４】
0003228800.tif 000006
【図５】
0003228800.tif 000007
【図６】
0003228800.tif 000008
【図７】
0003228800.tif 000009
【図８】
0003228800.tif 000010